(57)【要約】【課題】当接部の位置を浴槽の短手方向に自在に変更可能な入浴介助装置を提供する。【解決手段】第一の方向のリム部上面の幅が狭く形成された浴槽に対して、当接部を当接可能にすると共に、第一の方向の浴槽内壁の傾斜が大きい浴槽に対して、第一の方向のリム部上面にサイドフレーム部を載置可能にするために、一対のサイドフレーム部の内、少なくとも一方のサイドフレーム部の下方に取り付けられた当接部の位置をサイドフレーム部の外側端部に対して第１内側位置に配置される第１状態と、第１内側位置より内側の第２内側位置に配置される第２状態とに変更可能である。【選択図】図８
2019146667.tif 000002
【特許請求の範囲】
【請求項１】
長辺と短辺とをもつリム部を有する浴槽に設置される入浴介助装置であって、
前記入浴介助装置は、
前記長辺に沿った第一の方向のリム部上面に載置される一対のサイドフレーム部と、一対の前記サイドフレーム部を連結するメインフレーム部と、を有するフレーム本体と、
浴槽内の上方位置と下方位置との間を昇降可能であり、前記フレーム本体に支持される着座台と、
前記着座台を昇降させる昇降装置と、
前記メインフレーム部の長さを、前記短辺に沿った第二の方向のリム部の長さに合わせて調節可能な調節機構と、
一対の前記サイドフレーム部のそれぞれの下方に設けられ、前記第一の方向の浴槽内壁に当接することで当該入浴介助装置を浴槽に対して突っ張り固定可能にする一対の当接部と、
を備え、
前記第一の方向のリム部上面の幅が狭く形成された浴槽に対して、前記当接部を当接可能にすると共に、前記第一の方向の浴槽内壁の傾斜が大きい浴槽に対して、前記第一の方向のリム部上面に前記サイドフレーム部を載置可能にするために、一対の前記サイドフレーム部の内、少なくとも一方のサイドフレーム部の下方に取り付けられた前記当接部の位置を前記サイドフレーム部の外側端部に対して第１内側位置に配置される第１状態と、前記第１内側位置より内側の第２内側位置に配置される第２状態とに変更可能であることを特徴とする入浴介助装置。
【請求項２】
前記当接部は、一対の前記サイドフレーム部の内、他方のサイドフレーム部の下方に設けられた前記当接部の位置も前記第１状態と、前記第２状態とに変更可能であり、
一対の前記サイドフレーム部に対する前記当接部の位置は、一方側のサイドフレーム部と他方側のサイドフレーム部とでそれぞれ異なる位置に変更可能であることを特徴とする請求項１記載の入浴介助装置。
【請求項３】
前記当接部の位置は、前記サイドフレーム部の外側端部を除く範囲で変更可能であることを特徴とする請求項１または２に記載の入浴介助装置。
【請求項４】
前記サイドフレーム部に対する前記当接部の位置を変更可能な範囲は、前記サイドフレーム部の外側端部から１０ｍｍ離れた位置を始点とすることを特徴とする請求項３記載の入浴介助装置。
【請求項５】
前記調節機構は、前記第二の方向から前記メインフレーム部に働いた外力によって前記メインフレーム部の長さが変わらないように、前記メインフレーム部の前記第二の方向に対する長さを維持するロック手段を備えることを特徴とする請求項１〜４のいずれか１つに記載の入浴介助装置。
【請求項６】
前記当接部は、前記サイドフレーム部に対して着脱可能な別部材によって構成され、
前記当接部は、前記第一の方向の浴槽内壁に当接することで前記サイドフレーム部に固定されると共に、前記サイドフレーム部に対して向きを変えて着脱されることで、前記当接部の位置を前記第１状態と前記第２状態とに変更可能であることを特徴とする請求項１〜５のいずれか１つに記載の入浴介助装置。
【請求項７】
前記調節機構は、前記第二の方向に前記メインフレーム部の長さを調節する際に、前記当接部が前記第一の方向の浴槽内壁に当接することによって前記調節機構が受ける反力が所定以上の大きさとなった場合、前記メインフレーム部の長さを前記第二の方向にそれ以上延ばすことができないように規制するリミッタ機構を有することを特徴とする請求項１〜６のいずれか１つに記載の入浴介助装置。
【発明の詳細な説明】
【技術分野】
【０００１】
本発明は、入浴介助装置に関する。
【背景技術】
【０００２】
従来から、老人や身体障碍者などの一人で入浴することが困難であり、入浴に際して介助者を必要とする被介助者の入浴を支援する福祉機器として入浴介助装置が知られている（特許文献１）。
【０００３】
被介助者の方々は、洗い場で座椅子に腰を掛けた後、お尻を横にずらしながら、昇降する入浴介助装置の着座部に移乗することによって、浴槽の縁を跨ぐことなく楽に入浴を行うことができる。また、介助者の方々は、被介助者を抱え上げて浴槽に入れるような力仕事を行う必要がなくなるため、楽に被介助者の入浴の支援を行うことができる。
【先行技術文献】
【特許文献】
【０００４】
【特許文献１】特開２００６−１０２２７７号公報
【特許文献２】特開２０１２−２０５８６２号公報
【発明の概要】
【発明が解決しようとする課題】
【０００５】
入浴介助装置は、左右両側に設けられたサイドフレーム部（例えば図１２（ａ）に、一方のサイドフレーム部１２１のみを図示）を、浴槽のリム部１０２に合致するように間隔調整を行いながら載置し、サイドフレーム部１２１の下方に設けられた当接部１３５を、浴室の洗い場側と浴室の壁側の浴槽内壁１０５に対して当接させ突っ張り固定することで十分な固定力を確保し、入浴介助装置が浴槽に対して位置ズレすることがないように設置される。
【０００６】
しかしながら、近年、浴槽に使用する水の節水化や、浴槽に対するデザインの追求や、入浴時の姿勢が身体に与える影響などへの関心が高まるに従って、入浴介助装置を設けることができない形状を有する浴槽が多数販売されるようになってきている。
【０００７】
例えば、特許文献２に記載の浴槽は、節水性を高めるために水深の深い領域を極力少なくしつつ、開放的な入浴感を与えるために、リム部付近の浴槽内壁を浴槽の外側に向かって広げているので、リム部の幅が従来よりも狭く形成されている。
【０００８】
このような浴槽に対して入浴介助装置を設置すると、図１２（ｂ）に示すように、浴室の壁２００側の浴槽内壁１０５に当接部が当接するよりも前に、サイドフレーム部１２１が浴室の壁２００に当接してしまうため、左右の一対の当接部１３５同士による突っ張り固定が行えなくなり、位置がズレないようにするために必要な固定力を確保できないという課題を生じた。
【０００９】
このとき、浴室の壁２００側のリム部１０２が狭く形成された浴槽に入浴介助装置を設置した場合であっても、当接部１３５が浴室の壁２００側の浴槽内壁１０５に当接するように、図１３（ａ）に示すように、サイドフレーム部１２１に対する当接部１３５の位置を外側に変えることが考えられる。しかしながら、この場合、図１３（ｂ）に示すように、リム部１０２付近の浴槽内壁１０５の傾斜が大きい浴槽に対しては、入浴介助装置を設置した際に、浴槽のリム部１０２上面にサイドフレーム部１２１が載置する面積が小さくなりすぎるため、不安定な載置になってしまうという新たな課題が生じた。
【００１０】
本発明は、当接部の位置を浴槽の短手方向に自在に変更可能な入浴介助装置を提供する。
【課題を解決するための手段】
【００１１】
第１の発明の入浴介助装置は、長辺と短辺とをもつリム部を有する浴槽に設置される入浴介助装置であって、前記入浴介助装置は、前記長辺に沿った第一の方向のリム部上面に載置される一対のサイドフレーム部と、一対の前記サイドフレーム部を連結するメインフレーム部と、を有するフレーム本体と、浴槽内の上方位置と下方位置との間を昇降可能であり、前記フレーム本体に支持される着座台と、前記着座台を昇降させる昇降装置と、前記メインフレーム部の長さを、前記短辺に沿った第二の方向のリム部の長さに合わせて調節可能な調節機構と、一対の前記サイドフレーム部のそれぞれの下方に設けられ、前記第一の方向の浴槽内壁に当接することで当該入浴介助装置を浴槽に対して突っ張り固定可能にする一対の当接部と、を備え、前記第一の方向のリム部上面の幅が狭く形成された浴槽に対して、前記当接部を当接可能にすると共に、前記第一の方向の浴槽内壁の傾斜が大きい浴槽に対して、前記第一の方向のリム部上面に前記サイドフレーム部を載置可能にするために、一対の前記サイドフレーム部の内、少なくとも一方のサイドフレーム部の下方に取り付けられた前記当接部の位置を前記サイドフレーム部の外側端部に対して第１内側位置に配置される第１状態と、前記第１内側位置より内側の第２内側位置に配置される第２状態とに変更可能であることを特徴とする。  
第１の発明によれば、浴室の壁側のリム部の上面の幅が狭く形成された浴槽に対して入浴介助装置を設置する場合において、当接部をサイドフレーム部の外側端部に対して第１内側位置に配置することで、サイドフレーム部が浴室の壁に当たってしまうことなく、当接部を浴槽内壁に当接させることが可能となり、突っ張り固定をすることができる。  
また、当接部が当接する浴槽内壁の傾斜が大きい浴槽に対して入浴介助装置を設置する場合において、当接部を第２内側位置にすることで、浴槽内壁の傾斜が大きい場合でも、リム部上面にサイドフレーム部が載置する面積を大きくすることが可能となり、安定した載置を行うことができる。  
第２の発明は、第１の発明において、前記当接部は、一対の前記サイドフレーム部の内、他方のサイドフレーム部の下方に設けられた前記当接部の位置も前記第１状態と、前記第２状態とに変更可能であり、一対の前記サイドフレーム部に対する前記当接部の位置は、一方側のサイドフレーム部と他方側のサイドフレーム部とでそれぞれ異なる位置に変更可能であることを特徴とする。  
第２の発明によれば、一対の長辺側リム部のうち一方のリム部の上面の幅が相対的に狭く、他方のリム部の上面の幅が相対的に広く形成された浴槽に対して入浴介助装置を設置する場合において、一方の当接部の位置を第１内側位置としつつ、他方の当接部の位置を第２内側位置にすることができるため、リム部上面に対するサイドフレーム部の載置面積を両側で補い合うことができる。  
第３の発明は、第１または第２の発明において、前記当接部の位置は、前記サイドフレーム部の外側端部を除く範囲で変更可能であることを特徴とする。  
第３の発明によれば、当接部の位置は、リム部上面にサイドフレーム部を安定して載置することが可能な範囲（サイドフレーム部の外側端部を除く範囲）で、第二の方向に変更することができる。  
第４の発明は、第３の発明において、前記サイドフレーム部に対する前記当接部の位置を変更可能な範囲は、前記サイドフレーム部の外側端部から１０ｍｍ離れた位置を始点とすることを特徴とする。  
第４の発明によれば、第一の方向に沿った浴槽内壁は、水が溢れにくいように曲率をもったＲ形状を有していることが多い。浴槽内壁に形成されるＲ形状は、サイドフレーム部の外側端部から１０ｍｍまでの範囲に形成されることが多い。そのため、この範囲と被らないように当接部の位置を変更することができるようにしている。  
第５の発明は、第１〜第４の発明のいずれか１つにおいて、前記調節機構は、前記第二の方向から前記メインフレーム部に働いた外力によって前記メインフレーム部の長さが変わらないように、前記メインフレーム部の前記第二の方向に対する長さを維持するロック手段を備えることを特徴とする。  
第５の発明によれば、調節機構にロック手段を備えたことで、メインフレーム部の長さが第二の方向に対して変わることがないため、当接部による突っ張り固定を解除してしまうおそれがない。  
第６の発明は、第１〜第５の発明のいずれか１つにおいて、前記当接部は、前記サイドフレーム部に対して着脱可能な別部材によって構成され、前記当接部は、前記第一の方向の浴槽内壁に当接することで前記サイドフレーム部に固定されると共に、前記サイドフレーム部に対して向きを変えて着脱されることで、前記当接部の位置を前記第１状態と前記第２状態とに変更可能であることを特徴とする。  
第６の発明によれば、入浴介助装置が浴槽に対して突っ張り固定される力を利用し、当接部がサイドフレーム部に固定されるように構成されているため、ネジなどの固定手段を必要としていない。また、サイドフレーム部に対する当接部の位置を容易に変更可能である。  
第７の発明は、第１〜第６の発明のいずれか１つにおいて、前記調節機構は、前記第二の方向に前記メインフレーム部の長さを調節する際に、前記当接部が前記第一の方向の浴槽内壁に当接することによって前記調節機構が受ける反力が所定以上の大きさとなった場合、前記メインフレーム部の長さを前記第二の方向にそれ以上延ばすことができないように規制するリミッタ機構を有することを特徴とする。  
第７の発明によれば、調節機構にリミッタ機構を設けることで、浴槽内壁を傷つけることを防止しつつ、最適な突っ張り固定力で入浴介助装置を浴槽に設置することができる。
【発明の効果】
【００１２】
本発明によれば、リム部上面の幅が小さい浴槽に対して入浴介助装置を強固に突っ張り固定しつつ、浴槽内壁の傾斜が大きい浴槽に対して入浴介助装置を安定して載置することができる。
【図面の簡単な説明】
【００１３】
【図１】本発明の実施形態に係る入浴介助装置の斜視図である。
【図２】同入浴介助装置の斜視図である。
【図３】同入浴介助装置が浴槽に設置された状態の斜視図である。
【図４】（ａ）は同入浴介助装置におけるフレーム本体および昇降装置の斜視図であり、（ｂ）は同フレーム本体および昇降装置の上面図である。
【図５】同入浴介助装置におけるサイドフレーム部および当接部材の斜視図である。
【図６】同サイドフレーム部および当接部材の分解斜視図である。
【図７】同入浴介助装置における調節機構の斜視図である。
【図８】（ａ）は同入浴介助装置における当接部が第１内側位置にある第１状態の模式図であり、（ｂ）は同当接部が第２内側位置にある第２状態の模式図である。
【図９】同入浴介助装置における一対の当接部の取付位置が左右で異なる状態の模式図である。
【図１０】同入浴介助装置における着座台が浴槽内の上方位置にある状態の模式図である。
【図１１】同入浴介助装置における着座台が浴槽内の下方位置にある状態の模式図である。
【図１２】（ａ）及び（ｂ）は、参考例の入浴介助装置の浴槽に対する設置形態を説明する模式図である。
【図１３】（ａ）及び（ｂ）は、参考例の入浴介助装置の浴槽に対する設置形態を説明する模式図である。
【発明を実施するための形態】
【００１４】
以下、添付図面を参照しながら本発明の実施の形態について説明する。説明の理解を容易にするため、各図面において同一の構成要素に対しては可能な限り同一の符号を付して、重複する説明は省略する。
【００１５】
図１は、本発明の実施形態に係る入浴介助装置１の斜視図である。  
図２は、図１に示す入浴介助装置１を裏側から見た斜視図である。  
図３は、入浴介助装置１が浴槽１００に設置された状態の斜視図である。
【００１６】
浴槽のリム部は１対の長辺と１対の短辺とを有し、平面視において矩形の輪郭をもつ。図３には、一対の短辺側リム部のうちの一方の短辺側のリム部１０１と、一対の長辺側のリム部１０２の一部分（短辺側のリム部１０１に続く部分）を表す。入浴介助装置１は、浴槽１００の一対の長辺側のリム部１０２の上面に載置される。
【００１７】
本明細書において、長辺側のリム部１０２の延在方向を第一の方向または長手方向とし、短辺側のリム部１０１の延在方向を第二の方向または短手方向とする。
【００１８】
入浴介助装置１は、着座台５０と、当接部３５と、フレーム本体２０とを有する。
【００１９】
図４（ａ）はフレーム本体２０の斜視図であり、図４（ｂ）はフレーム本体２０の上面図である。
【００２０】
フレーム本体２０は、一対のサイドフレーム部２１と、それら一対のサイドフレーム部２１を連結するメインフレーム部２２とを有する。
【００２１】
メインフレーム部２２は、第１フレーム部２２ａと、第２フレーム部２２ｂと、第３フレーム部２２ｃとを有する。第１フレーム部２２ａと第２フレーム部２２ｂは、第３フレーム部２２ｃに対して、メインフレーム部２２の延在方向にスライド移動自在となっている。第３フレーム部２２ｃに対する第１フレーム部２２ａと第２フレーム部２２ｂのスライド移動により、メインフレーム部２２の長さが調節される。
【００２２】
一対のサイドフレーム部２１のうちの一方のサイドフレーム部２１は第１フレーム部２２ａに連結され、他方のサイドフレーム部２１は第２フレーム部２２ｂに連結されている。したがって、第３フレーム部２２ｃに対する第１フレーム部２２ａと第２フレーム部２２ｂのスライド移動により、メインフレーム部２２の長さが調節されると、一対のサイドフレーム部２１の間の距離が調節される。
【００２３】
図１、図３に示すように、サイドフレーム部２１にはアームカバー８１が取り付けられ、メインフレーム部２２にはインナーカバー８２が取り付けられる。インナーカバー８２の前面には背当てクッション８３が設けられる。
【００２４】
入浴介助装置１が浴槽１００に設置された状態で、一対のサイドフレーム部２１は長辺側のリム部１０２の上面に載置され、メインフレーム部２２は短辺側のリム部１０１に沿って短手方向に延び、一対のサイドフレーム部２１を連結している。
【００２５】
着座台５０は、図４（ａ）に示す取付部４４によってフレーム本体２０に支持される。入浴介助装置１は、着座台５０を昇降させる昇降装置４０を有する。
【００２６】
昇降装置４０は、モータ４１と、ワインダ（またはドラム）４２と、複数のプーリ６１、６２、６３と、ワイヤ（またはケーブル）４３とを有する。
【００２７】
例えば、モータ４１と、ワインダ４２と、プーリ（テンションプーリ）６１はメインフレーム部２２に設けられている。プーリ（アームプーリ）６２と、プーリ（アウトプーリ）６３はサイドフレーム部２１に設けられている。
【００２８】
ワイヤ４３は、ワインダ４２に巻回されるとともに、プーリ６１、６２、６３に通されている。ワインダ４２は、モータ４１によって回転駆動される。
【００２９】
着座台５０は、図１、図２に示すシートフレーム５３上に支持されている。シートフレーム５３は、上側フレーム５４と下側フレーム５５とを有し、上側フレーム５４と下側フレーム５５とは短手方向に互いにスライド移動可能となっている。
【００３０】
前述したワイヤ４３は、シートフレーム５３に設けられたワイヤフック５７に係合される。ワインダ４２によるワイヤ４３の巻き取り／送り出し制御によって、着座台５０はシートフレーム５３ごと昇降される。
【００３１】
図１に示すように、着座台５０の一端部には、ヒンジ部５２を介して、フラッププレート５１が取り付けられている。フラッププレート５１は、ヒンジ部５２を支点にして、水平状態から上方に傾倒することができる。
【００３２】
図２に示すように、一対の当接部材３０が、一対のサイドフレーム部２１のそれぞれの下方に設けられている。
【００３３】
図５は、図１、図２における右側のサイドフレーム部２１、およびその下方に設けられた当接部材３０の斜視図である。  
図６は、図５に示すサイドフレーム部２１および当接部材３０の分解斜視図である。
【００３４】
図６に示すように、当接部材３０は、取付部３１と当接部３５とを有する。当接部３５は、取付部３１の下方に垂下している。取付部３１の上面には突出部３４が設けられている。当接部３５は、硬質部３２と軟質部３３とを有する。軟質部３３は、硬質部３２よりも軟質の材料からなり、例えばゴム材料からなる。軟質部３３は、硬質部３２の表面を覆うように硬質部３２に嵌め込まれる。
【００３５】
サイドフレーム部２１における外側部分には窪み部２３が形成されている。その窪み部２３に当接部材３０の突出部３４を嵌め込むことで、図５に示すように、当接部材３０がサイドフレーム部２１に取り付けられる。この状態で、当接部３５はサイドフレーム部２１の下方に垂下する。
【００３６】
図２に示すように、サイドフレーム部２１の下面には、軟質部材（例えばゴム部材）２４が設けられている。サイドフレーム部２１がリム部１０２の上面に載置されたときに、この軟質部材２４によってリム部の上面に傷がつきにくくなる。また、軟質部材２４は滑り止めを担う。
【００３７】
入浴介助装置１は、さらに調節機構を有する。調節機構は、メインフレーム部２２の長さを、浴槽１００の短辺側のリム部１０１の長さ（一対の長辺側のリム部１０２の間の距離）に合わせて調節可能である。
【００３８】
図７は、調節機構７０の斜視図である。
【００３９】
調節機構７０は、幅調整ねじ７１と、一対の送りねじ７２とを有する。幅調整ねじ７１の両端部７１ａには雄ねじが形成されている。送りねじ７２はパイプ状に形成され、その内周に雌ねじが形成されている。幅調整ねじ７１の両端部７１ａの雄ねじに、それぞれ、送りねじ７２が結合している。
【００４０】
幅調整ねじ７１は、図４（ｂ）に示すように、その軸方向がメインフレーム部２２の延在方向に沿うように、メインフレーム部２２に支持される。送りねじ７２は、図５に示すサイドフレーム部２１に形成された貫通孔２５に嵌め込まれる。一対の送りねじ７２の一方の送りねじ７２はメインフレーム部２２の第１フレーム部２２ａに連結され、他方の送りねじ７２は第２フレーム部２２ｂに連結されている。
【００４１】
サイドフレーム部２１の側方の外部から、例えば人がドライバーなどの工具を使って幅調整ねじ７１を回転させることで、サイドフレーム部２１が送りねじ７２とともに幅調整ねじ７１の軸方向に沿って移動する。これにより、メインフレーム部２２の第１フレーム部２２ａまたは第２フレーム部２２ｂが第３フレーム部２２ｃに対してスライド移動し、一対のサイドフレーム部２１の間の距離を調節することができる。
【００４２】
一対のサイドフレーム部２１の間の距離を適切に調節して、一対のサイドフレーム部２１をそれぞれ一対の長辺側のリム部１０２の上面に載置し、且つ、一対の当接部３５の側面を、長手方向に沿った浴槽内壁に当接させる。これにより、入浴介助装置１は、浴槽１００に対して突っ張り固定される。当接部３５は、その軟質部３３が浴槽内壁に当接することで、浴槽内壁に傷がつきにくくできる。
【００４３】
調節機構７０は、短手方向からメインフレーム部２２に働いた外力によって、メインフレーム部２２の長さ（一対のサイドフレーム部２１の間の距離）が変わらないように、メインフレーム部２２の長さ（一対のサイドフレーム部２１の間の距離）を維持するロック手段を兼ねている。すなわち、幅調整ねじ７１と送りねじ７２との結合がロック手段を構成する。
【００４４】
メインフレーム部２２に対して短手方向から外力が働くと、メインフレーム部２２の長さ、すなわち一対のサイドフレーム部２１の間の距離が変動し得る。すると、当接部３５によって突っ張り固定をしていたとしても、浴槽１００に対する入浴介助装置１の位置がズレてしまうため使用者に不安を与えてしまうという課題がある。
【００４５】
これに対して、実施形態によれば、例えば幅調整ねじ７１と送りねじ７２との結合によりメインフレーム部２２の長さの変動がロックされ、一対のサイドフレーム部２１の間の距離が変わることがないため、当接部３５による突っ張り固定を解除してしまうおそれがない。
【００４６】
また、実施形態によれば、調節機構７０は、リミッタ機構７４（図４（ｂ）に図示）を有する。前述した外部から幅調整ねじ７１を回転させる力はリミッタ機構７４を介して幅調整ねじ７１に伝達する。そして、リミッタ機構７４は、メインフレーム部２２の長さ（一対のサイドフレーム部２１の間の距離）を調節する際に、当接部３５が長手方向に沿う浴槽内壁に当接することによって幅調整ねじ７１が受ける反力が所定以上の大きさとなった場合、一対のサイドフレーム部２１の間の距離をそれ以上広げることができないように規制する。すなわち、リミッタ機構７４は、上記幅調整ねじ７１が受ける反力が所定以上の大きさとなった場合に空転して、幅調整ねじ７１を回転させようとする外力を幅調整ねじ７１に伝えない。
【００４７】
突っ張り固定により強固な固定力で入浴介助装置１を浴槽１００に設置する必要がある一方で、当接部３５が強すぎる力で浴槽内壁に当接すると、浴槽内壁を傷つけてしまうという課題がある。これに対して、調節機構７０にリミッタ機構７４を設けることで、浴槽内壁を傷つけることを防止しつつ、最適な突っ張り固定力で入浴介助装置１を浴槽１００に設置することができる。
【００４８】
実施形態によれば、一対のサイドフレーム部２１の内、少なくとも一方のサイドフレーム部２１の下方に設けられた当接部３５の位置を、サイドフレーム部２１の外側端部２１ａに対して第１内側位置に配置される第１状態と、第１内側位置より内側の第２内側位置に配置される第２状態とに変更可能である。
【００４９】
図８（ａ）は、当接部３５が第１内側位置にある第１状態の模式図である。  
図８（ａ）は、浴室の壁２００側のリム部１０２の上面の幅が狭く形成された浴槽に対して入浴介助装置１を設置する場合を示す。
【００５０】
このような上面の幅が狭く形成されたリム部１０２に対して、当接部３５をサイドフレーム部２１の外側端部２１ａに対して第１内側位置に配置することで、サイドフレーム部２１が浴室の壁２００に当たってしまうことなく、当接部３５を浴槽内壁に当接させることが可能となり、突っ張り固定をすることができる。
【００５１】
図８（ｂ）は、当接部３５が第２内側位置にある第２状態の模式図である。  
図８（ｂ）は、当接部３５が当接する浴槽内壁の傾斜が大きい浴槽に対して入浴介助装置１を設置する場合を示す。
【００５２】
当接部３５は、第１内側位置より内側の第２内側位置に配置される。第２内側位置は、第１内側位置よりも、サイドフレーム部２１の外側端部２１ａから上記短手方向に離れている。したがって、サイドフレーム部２１において当接部３５よりも外側端部２１ａ側の下面の幅（短手方向の幅）は、当接部３５が第１内側位置にある第１状態よりも第２内側位置にある第２状態の方が大きい。
【００５３】
そのため、当接部３５を第２内側位置にすることで、浴槽内壁の傾斜が大きい場合でも、リム部１０２上面にサイドフレーム部２１が載置する面積を大きくすることが可能となり、安定した載置を行うことができる。
【００５４】
このように実施形態によれば、リム部１０２の上面の幅や浴槽内壁の傾斜に応じて、当接部３５の位置（第１内側位置か第２内側位置）を適切に選択することで、リム部１０２の上面の幅が狭く形成された浴槽に対して、サイドフレーム部２１が壁２００に当たることなく、当接部３５を浴槽内壁に当接可能にすることができる共に、浴槽内壁の傾斜が大きい浴槽に対して、リム部１０２上面にサイドフレーム部２１を載置可能にする。
【００５５】
前述した一方のサイドフレーム部２１の下方に設けられた一方の当接部３５に加えて、他方のサイドフレーム部２１の下方に設けられた他方の当接部３５の位置も、前記第１状態と前記第２状態とに変更可能である。さらに、一対のサイドフレーム部２１に対する当接部３５の位置は、一方のサイドフレーム部２１と他方のサイドフレーム部２１とでそれぞれ異なる位置に変更可能である。
【００５６】
図９は、一対の当接部３５の取付位置が左右で異なる状態の模式図である。
【００５７】
図９は、一対の長辺側リム部１０２のうち一方側（右側）のリム部１０２の上面の幅が相対的に狭く、他方側（左側）のリム部１０２の上面の幅が相対的に広く形成された浴槽に対して入浴介助装置１を設置する場合を示す。
【００５８】
一方側（右側）の当接部３５の位置を第１内側位置としつつ、他方側（左側）の当接部３５の位置を第２内側位置にすることができるため、リム部１０２上面に対するサイドフレーム部２１の載置面積を両側で補い合うことができる。
【００５９】
例えば、一対の当接部３５のうち一方の当接部３５は、サイドフレーム部２１と壁との干渉を回避するために、第２内側位置はとれずに第１内側位置しかとれず、他方の当接部３５は第１内側位置と第２内側位置の両方をとれる場合に、他方の当接部３５を、サイドフレーム部２１のリム部１０２上面に対する載置面積をより大きく確保できる第２内側位置にする選択をすることで、入浴介助装置１全体としての載置面積を広く取れ、安定する。様々な形態の浴槽に対して、最大限の載置面積の確保が可能になる。
【００６０】
当接部３５の位置は、リム部１０２の上面にサイドフレーム部２１を安定して載置することが可能な範囲（サイドフレーム部２１の外側端部２１ａを除く範囲）で、第二の方向（短手方向）に変更することができる。このサイドフレーム部２１に対する当接部３５の位置を変更可能な範囲は、サイドフレーム部２１の外側端部２１ａから１０ｍｍ離れた位置を始点とする。
【００６１】
長手方向に沿った浴槽内壁は、水が溢れにくいように曲率をもったＲ形状を有していることが多い。このＲ形状の部分にはサイドフレーム部２１は載らない。浴槽内壁に形成されるＲ形状は、サイドフレーム部２１の外側端部２１ａから１０ｍｍまでの範囲に形成されることが多い。そのため、この範囲と被らないように当接部３５の位置を変更することができるようにしている。
【００６２】
図６に示す例では、当接部３５は、サイドフレーム部２１に対して着脱可能な別部材によって構成されている。そして、当接部３５は、浴槽内壁に当接してサイドフレーム部２１と浴槽内壁との間に挟まれて固定されると共に、サイドフレーム部２１に対して向きを変えて着脱されることで、当接部３５の位置を第１状態と第２状態とに変更可能である。
【００６３】
当接部３５は、取付部３１の幅方向の一対の縁部のうちのどちらか一方の縁部に偏って位置している。したがって、当接部３５が位置する縁部側から当接部材３０をサイドフレーム部２１に差し込むか、あるいは当接部３５が位置する縁部の反対側の縁部側から当接部材３０をサイドフレーム部２１に差し込むかによって、当接部３５の位置を、前者の場合の第２内側位置（図８（ｂ））と、後者の場合の第１内側位置（図８（ａ））とに変更可能である。
【００６４】
当接部３５がサイドフレーム部２１に対して着脱可能な別部材で構成されている場合、サイドフレーム部２１に対する当接部３５の位置をネジなどの固定手段を用いて変更することは面倒である。実施形態では、入浴介助装置１が浴槽１００に対して突っ張り固定される力を利用し、当接部３５がサイドフレーム部２１に固定されるように構成されているため、ネジなどの固定手段を必要としていない。
【００６５】
入浴介助装置１が浴槽１００に突っ張り固定されていない状態で、当接部材３０をサイドフレーム部２１に対して簡単に着脱でき、そのときに当接部３５の向きを変えて着脱することで、サイドフレーム部２１に対する当接部３５の位置を容易に変更可能である。
【００６６】
または、サイドフレーム部２１に対する当接部材３０の取り付け向きを変えることに限らず、当接部材３０の取り付け位置で当接部３５の位置を変更してもよい。
【００６７】
図１０は、入浴介助装置１における着座台５０が浴槽１００内の上方位置にある状態の模式図である。  
図１１は、着座台５０が浴槽１００内の下方位置にある状態の模式図である。
【００６８】
着座台５０は、前述した昇降装置４０によって、浴槽１００内の上方位置と下方位置との間を昇降可能である。下方位置にある着座台５０に着座した被介助者は体を浴槽１００内のお湯に浸けることができる。
【００６９】
着座台５０は、シートフレーム５３ごと、ワイヤ４３によってフレーム本体２０から吊り下げられた状態で昇降する。このとき、ガイドローラ５６が浴槽内壁に接触しつつ転がり、着座台５０の昇降を安定してガイドする。
【００７０】
以上、具体例を参照しつつ本発明の実施形態について説明した。しかし、本発明は、それらに限定されるものではなく、本発明の技術的思想に基づいて種々の変形が可能である。
【符号の説明】
【００７１】
１…入浴介助装置、２０…フレーム本体、２１…サイドフレーム部、２２…メインフレーム部、３０…当接部材、３５…当接部、４０…昇降装置、５０…着座台、７０…調節機構、７４…リミッタ機構
【図１】
2019146667.tif 000003
【図２】
2019146667.tif 000004
【図３】
2019146667.tif 000005
【図４】
2019146667.tif 000006
【図５】
2019146667.tif 000007
【図６】
2019146667.tif 000008
【図７】
2019146667.tif 000009
【図８】
2019146667.tif 000010
【図９】
2019146667.tif 000011
【図１０】
2019146667.tif 000012
【図１１】
2019146667.tif 000013
【図１２】
2019146667.tif 000014
【図１３】
2019146667.tif 000015